(57)【要約】      （修正有）【課題】プライミング時に流出部から気泡が流出することを防止することができる点滴筒を提供する。【解決手段】点滴筒１０は、滴下部１１から滴下する液体を貯留し流出部１２から流出させる滴下室と、滴下室の周面を区画する周壁部１３とを備える点滴筒において、滴下室は、互いに接続された滴下部と流出部との接続を解除すると共に、周壁部を上下方向に伸長させることによって形成されることを特徴とするものである。【選択図】図３
2016171837.tif 000002
【特許請求の範囲】
【請求項１】
滴下部から滴下する液体を貯留し流出部から流出させる滴下室と、該滴下室の周面を区画する周壁部とを備える点滴筒において、
前記滴下室は、互いに接続された前記滴下部と前記流出部との接続を解除すると共に、前記周壁部を上下方向に伸長させることによって形成されることを特徴とする点滴筒。
【請求項２】
前記滴下部と前記流出部との接続時において、前記周壁部の内周側には、前記滴下室の容積の１／５〜４／５に相当する量の気体が封入されている、請求項１に記載の点滴筒。
【請求項３】
前記滴下部は筒状をなす滴下筒を備えており、前記流出部は前記滴下筒を挿入できる流出口を備えている、請求項１又は２に記載の点滴筒。
【請求項４】
前記周壁部は蛇腹状をなす蛇腹部として形成されている、請求項１〜３のいずれか一項に記載の点滴筒。
【請求項５】
前記周壁部は柔軟な膜状をなすバルーン部として形成されている、請求項１〜３のいずれか一項に記載の点滴筒。
【請求項６】
前記バルーン部は、皺を寄せて萎む皺付きバルーン部として形成されている、請求項５に記載の点滴筒。
【請求項７】
前記周壁部は塑性変形によって伸長する伸長性シートからなっている、請求項１〜３のいずれか一項に記載の点滴筒。
【請求項８】
前記滴下部と前記流出部との接続時において前記周壁部の内周側に気体を導入し、密封することを可能にする気体導入部を備える、請求項１〜７のいずれか一項に記載の点滴筒。
【請求項９】
請求項１〜８のいずれか一項に記載の点滴筒と、
前記点滴筒の前記流出部に接続されるチューブと、を備える輸液セット。
【請求項１０】
滴下部から滴下する液体を貯留し流出部から流出させる滴下室と、該滴下室の周面を区画する周壁部とを備え、前記滴下部と前記流出部とが接続された点滴筒と、前記滴下部に直接または第１チューブを介して接続された瓶針と、前記流出部に接続された第２チューブとを備える輸液セットを用意し、
前記瓶針を輸液容器に接続し、
前記輸液容器内の液体を前記滴下部と前記流出部と前記第２チューブとに満たし、
前記滴下部と前記流出部との接続を解除することを特徴とする輸液セットの使用方法。
【発明の詳細な説明】
【技術分野】
【０００１】
本発明は、滴下部から滴下する液体を貯留し流出部から流出させる滴下室と、該滴下室の周面を区画する周壁部とを備える点滴筒、該点滴筒を備える輸液セット及び該輸液セットの使用方法に関し、特に、プライミング時から生体への使用開始時までの間に該点滴筒の該流出部から気泡が流出することを防止しようとするものである。
【背景技術】
【０００２】
従来、輸液バッグなどの輸液容器内に収容された薬液などの液体を患者などの生体に投与乃至注入するための装置として、輸液容器と、点滴筒を有する輸液セットとを備える輸液装置が知られている（例えば、特許文献１参照）。特許文献１に記載される輸液セットは、上流側から順に接続された点滴筒、チューブ、及びコネクタを備えており、チューブにはクレンメが装着されている。また、点滴筒は、更なるチューブを介して輸液容器と接続されている。そして、前記点滴筒は、滴下部から滴下する液体を貯留し流出部から流出させる滴下室と、該滴下室の周面を区画する周壁部とを備えている。
【先行技術文献】
【特許文献】
【０００３】
【特許文献１】国際公開第２０１０／００１９３９号公報
【発明の概要】
【発明が解決しようとする課題】
【０００４】
ところで、特許文献１に記載されるような輸液装置を生体に対して使用する前の準備として、気泡が生体に投与乃至注入されることを防止するため、輸液セットの点滴筒より下流の流路内を輸液容器内の液体で満たす、いわゆるプライミングと呼ばれる操作が行われている。プライミングは、従来、以下の手順で行われている。すなわち、まず、（１）クレンメを閉じた状態で、点滴筒の周壁部を押圧してから解放することで、点滴筒内を一時的に陰圧状態として輸液容器内の液体を点滴筒内に引き込ませ、点滴筒内に貯留させる。この操作を点滴筒内に適量の液体が貯留されるまで繰り返す（以下、この操作を「ポンピング」ともいう）。その後、（２）クレンメを開くと、輸液容器から流出した液体が点滴筒内に流入し、点滴筒内に貯留した液体量が維持されながら、点滴筒の流出部からも液体が流出して点滴筒より下流の流路内に液体が満たされる。最後に、（３）クレンメを閉じ、操作を完了する。
【０００５】
このようなプライミング時には、（２）の操作時に、点滴筒内に保持された空気などの気体が気泡となって流出部から流出してしまうおそれがあった。また、プライミング完了後、通常、輸液装置は横に倒された状態で保管される。このように保管された輸液装置では、点滴筒の流出部に点滴筒内の気体層が直接触れることがあり、気体が気泡となって流出部から流出してしまうおそれがあった。
【０００６】
本発明は、前記の現状に鑑み開発されたもので、滴下部から滴下する液体を貯留し流出部から流出させる滴下室と、該滴下室の周面を区画する周壁部とを備える点滴筒において、プライミング時から生体への使用開始時までの間に該点滴筒の該流出部から気泡が流出することを防止することができる点滴筒、該点滴筒を備える輸液セット及び該輸液セットの使用方法を提供することを目的とする。
【課題を解決するための手段】
【０００７】
上記目的を達成するために、本発明の点滴筒は、滴下部から滴下する液体を貯留し流出部から流出させる滴下室と、該滴下室の周面を区画する周壁部とを備える点滴筒において、前記滴下室は、互いに接続された前記滴下部と前記流出部との接続を解除すると共に、前記周壁部を上下方向に伸長させることによって形成されることを特徴とする。
【０００８】
ここで、本発明の点滴筒は、前記滴下部と前記流出部との接続時において、前記周壁部の内周側には、前記滴下室の容積の１／５〜４／５に相当する量の気体が封入されていることが好ましい。
【０００９】
また、本発明の点滴筒は、前記滴下部が筒状をなす滴下筒を備えており、前記流出部が前記滴下筒を挿入できる流出口を備えていることが好ましい。
【００１０】
また、本発明の点滴筒は、前記周壁部が蛇腹状をなす蛇腹部として形成されていることが好ましい。
【００１１】
また、本発明の点滴筒は、前記周壁部が柔軟な膜状をなすバルーン部として形成されていることが好ましい。
【００１２】
また、本発明の点滴筒は、前記バルーン部が皺を寄せて萎む皺付きバルーン部として形成されていることが好ましい。
【００１３】
また、本発明の点滴筒は、前記周壁部が塑性変形によって伸長する伸長性シートからなっていることが好ましい。
【００１４】
さらに、本発明の点滴筒は、前記滴下部と前記流出部との接続時において前記周壁部の内周側に気体を導入し、密封することを可能にする気体導入部を備えることが好ましい。
【００１５】
また、上記目的を達成するために、本発明の輸液セットは、上述の点滴筒と、前記点滴筒の前記流出部に接続されるチューブとを備えることを特徴とする。
【００１６】
さらに、上記目的を達成するために、本発明の輸液セットの使用方法は、滴下部から滴下する液体を貯留し流出部から流出させる滴下室と、該滴下室の周面を区画する周壁部とを備え、前記滴下部と前記流出部とが接続された点滴筒と、前記滴下部に直接または第１チューブを介して接続された瓶針と、前記流出部に接続された第２チューブとを備える輸液セットを用意し、前記瓶針を輸液容器に接続し、前記輸液容器内の液体を前記滴下部と前記流出部と前記第２チューブとに満たし、前記滴下部と前記流出部との接続を解除することを特徴とする。
【発明の効果】
【００１７】
本発明によれば、滴下部と流出部とが互いに接続された状態でプライミングを行うことで、プライミング時から生体への使用開始時までの間に気泡が流出部から流出することを防止できる。そして、生体への使用時には、互いに接続された滴下部と流出部との接続を解除すると共に、周壁部を上下方向に伸長させることによって滴下室を形成させることができる。
【００１８】
したがって、本発明によれば、滴下部から滴下する液体を貯留し流出部から流出させる滴下室と、該滴下室の周面を区画する周壁部とを備える点滴筒において、プライミング時から生体への使用開始時までの間に該点滴筒の該流出部から気泡が流出することを防止することができる点滴筒、該点滴筒を備える輸液セット及び該輸液セットの使用方法を提供することができる。
【図面の簡単な説明】
【００１９】
【図１】本発明の一実施形態に係る点滴筒を備える輸液セットに輸液容器が接続された輸液装置の正面図である。
【図２】本発明の一実施形態に係る点滴筒（接続状態）の正面図である。
【図３】図２に示す点滴筒（接続状態）の縦断面図である。
【図４】図２に示す点滴筒（非接続状態）の正面図である。
【図５】図２に示す点滴筒（非接続状態）の縦断面図である。
【図６】図２に示す点滴筒を各構成部材に分解して示す斜視図である。
【図７】図２に示す点滴筒（接続状態）の変形例１の縦断面図である。
【図８】図２に示す点滴筒（接続状態）の変形例２の縦断面図である。
【図９】図２に示す点滴筒（接続状態）の変形例３の縦断面図である。
【発明を実施するための形態】
【００２０】
以下、図１〜図９を参照して、本発明の一実施形態に係る点滴筒１０、点滴筒１０を備える輸液セット７及び輸液セット７の使用方法について詳細に例示説明する。
なお、本明細書において、上下方向とは、点滴筒１０の生体への使用時における鉛直の方向を意味し、上方は流出部１２からみて滴下部１１が位置する方向（すなわち、図２における上方）、下方はその反対方向を意味するものとする。
【００２１】
図１に示すように、本実施形態に係る点滴筒１０を備える輸液セット７は、輸液バッグなどの輸液容器２と接続されて、輸液装置１を構成している。輸液セット７は、点滴筒１０と、クレンメ４が装着されたチューブ６と、コネクタ５とを備え、使用状態ではこれらの部材が上方から順に配置された状態で接続されている。本例では、点滴筒１０の滴下部１１の上部に直接接続された瓶針１５が輸液容器２の開口部に設けられた栓体３を刺通することで、輸液容器２と点滴筒１０とが互いに接続される。なお、瓶針１５は、チューブ（図示省略）などを介して滴下部１１の上部に接続されていてもよく、その場合、該チューブを第１チューブとし、チューブ６を第２チューブとする。
【００２２】
輸液容器２は、薬液などの液体を予め収納している。輸液容器２は、輸液容器２の開口部に設けられた栓体３を刺通した瓶針１５を介して、内部の液体を流出させて点滴筒１０に送ることができる。
点滴筒１０は、滴下部１１から滴下する液体を貯留し流出部１２から流出させる滴下室１４と、滴下室１４の周面を区画する周壁部１３とを備えている。また、周壁部１３は、少なくとも一部が透明性のある素材で形成されており、滴下室１４内に液体が流入した際、その液体の流量を目視で確認することができる。なお、点滴筒１０の詳細については後述する。
【００２３】
チューブ６は、可撓性を有する筒状部材であり、上端が点滴筒１０の流出部１２に接続されており、下端がコネクタ５に接続されている。具体的には、チューブ６の上端は、図３に示すように、点滴筒１０の流出部１２が備える接続筒１７ｂに接続されている。なお、チューブ６の長さは適宜変更することができる。
クレンメ４は、チューブ６の任意の箇所に装着されており、チューブ６の内部を通る液体の流量を調節するためのものである。具体的には、クレンメ４を閉じると液体の流れを止めることができ、開けば開くほど液体の流量を増大させることができる。
コネクタ５は、患者などの生体に予め留置されている留置針（図示省略）に接続可能に構成されている。
【００２４】
点滴筒１０は、プライミングを行うまでの初期状態では、図２及び図３に示すように、滴下部１１と流出部１２とが互いに接続されている。より詳細には、図３に示すように、滴下部１１は筒状をなす滴下筒１６を備えており、流出部１２は滴下筒１６を挿入できる流出口１７ａを備えている。そして、滴下部１１と流出部１２とが互いに接続された状態（以下、「接続状態」ともいう）、すなわち滴下筒１６が流出口１７ａに挿入された状態では、滴下筒１６と流出口１７ａとは互いに嵌合し、滴下部１１の内部に設けられた流入路１８と、流出部１２の内部に設けられた流出路１９とが直結している。なお、このとき、点滴筒１０内には、滴下部１１と流出部１２との接続を解除することによって流入路１８及び流出路１９と連通することとなる密閉空間Ｓが形成されている。また、周壁部１３は、蛇腹状をなす蛇腹部として形成されており、接続状態では蛇腹状に折り畳まれている。
【００２５】
なお、本実施形態に係る点滴筒１０では、流出部１２が滴下筒１６を挿入できる流出口１７ａを備えているとしたが、このような構成に代え、例えば、流出部１２が滴下筒１６の内側に嵌合することができる筒状をなす流出筒（図示省略）を備えているとしてもよい。この場合、接続状態では、滴下筒１６の内側に流出筒が嵌合することで、流入路１８と流出路１９とが直結することになる。
【００２６】
一方、点滴筒１０は、図２及び図３に示したような互いに接続された滴下部１１と流出部１２との接続を解除すると共に、周壁部１３を上下方向に伸長させることによって、図４及び図５に示すように、滴下室１４を形成させることができる（以下、このような状態を「非接続状態」ともいう）。点滴筒１０は、非接続状態では、通常の点滴筒と同様に使用することができる。すなわち、図１の説明において前述した通り、滴下室１４内に流入する液体の流量を目視で確認するために用いることができる。なお、接続状態で蛇腹状に折り畳まれていた周壁部１３は、非接続状態では上下方向に伸長し、滴下室１４の周面を区画する。
【００２７】
図６は、点滴筒１０を各構成部材に分解して示す斜視図である。点滴筒１０は、図６に示すように、滴下部材２０と、周壁部材２１と、流出部材２２とにより構成される。滴下部材２０は、滴下部１１と、瓶針１５とを備える。周壁部材２１は、周壁部１３を備える。流出部材２２は、流出部１２を備える。滴下部材２０と周壁部材２１とは、接着剤や熱溶着により、相互に接合されている。また、周壁部材２１と流出部材２２とは、やはり滴下部材２０と周壁部材２１との場合と同様に、接着剤や熱溶着により、相互に接合されている。なお、点滴筒１０は、必ずしもこれらの構成部材により構成される必要はなく、例えば、これらの構成部材の２つ以上をインサート成形等によって一体成型してもよいし、更に多数の構成部材により構成してもよい。
【００２８】
ここで、輸液装置１を用いたプライミングの要領について説明する。まず、点滴筒１０を図３に示したような接続状態としたままの輸液セット７（前掲図１参照）を用意し、瓶針１５を輸液容器２に接続する。その後、クレンメ４を開く。これにより、輸液容器２から流出した液体が、流入路１８と、流出路１９と、チューブ６の内部とに満たされながら、コネクタ５から排出される。その後、クレンメ４を閉じて操作を完了する。これにより、輸液装置１内の流路全体に液体が満たされた状態で維持される。よって、プライミング時及びその後の保管時において、点滴筒１０の流出部１２から気泡が流出することを防止できる。
【００２９】
輸液装置１を生体に対して使用する際には、プライミングが完了した輸液装置１を用いて、点滴筒１０を非接続状態にする。
ここで、本実施形態では、接続状態において、周壁部１３の内周側には、滴下室１４の容積の１／５〜４／５に相当する量の気体が封入されている。すなわち、前述した密閉空間Ｓ内に滴下室１４の容積の１／５〜４／５に相当する量の気体が封入されている。これにより、接続状態において周壁部１３の内周側に封入されていた気体が、非接続状態においては滴下室１４の上部に、滴下室１４の容積の１／５〜４／５を占める気体層を形成する。よって、滴下室１４内に流入する液体の流量を目視で確認しやすくなる。なお、接続状態において、周壁部１３の内周側には、滴下室１４の容積の１／２〜２／３に相当する量の気体が封入されていることがより好ましい。また、滴下室１４に適量の液体が貯留されるため、滴下室１４内の気体が流出部１２から流出することが防止される。また、滴下部１１と流出部１２との接続を解除すると共に、周壁部１３を上下方向に伸長させるという一度の操作によって、形成される滴下室１４内に十分な負圧を生じさせ、滴下室１４に適量の液体を導入することができるため、従来必要とされたポンピング操作を不要にし、利便性を向上させることができる。なお、「滴下室１４の容積」には、流入路１８及び流出路１９の容積は含まれない。封入される気体としては、空気などの難水溶性のものが好ましい。
【００３０】
なお、周壁部１３の内周側には、必ずしも滴下室１４の容積の１／５〜４／５に相当する量の気体が封入されている必要はない。また、点滴筒１０は、滴下部１１と流出部１２との接続時において周壁部１３の内周側に気体を導入し、密封することを可能にする気体導入部（図示省略）を更に備えてもよい。このような気体導入部を更に備えることで、周壁部１３の内周側の気体封入量を調節することができ、例えば上述したような、滴下室１４の容積の１／５〜４／５や１／２〜２／３に相当する量の空気を封入することも容易に行うことができる。気体導入部は、例えば、カフを接続可能な逆止弁付き接続口として構成することができる。このような構成とした場合には、カフを接続口に接続することで、カフから空気を供給できる一方、カフの非接続時には逆止弁により接続口から空気が漏出することを防止できる。
【００３１】
以上説明したように、本実施形態に係る点滴筒１０は、滴下部１１から滴下する液体を貯留し流出部１２から流出させる滴下室１４と、滴下室１４の周面を区画する周壁部１３とを備えている。また、滴下室１４は、互いに接続された滴下部１１と流出部１２との接続を解除すると共に、周壁部１３を上下方向に伸長させることによって形成される。
【００３２】
したがって、点滴筒１０によれば、滴下部１１と流出部１２とが互いに接続された状態で輸液セット７のプライミング及びその後の保管を行い、輸液装置１を生体に対して使用する際には、滴下部１１と流出部１２との接続を解除すると共に、周壁部１３を上下方向に伸長させることによって滴下室１４を形成させることができる。よって、プライミング時から生体への使用開始時までの間に、点滴筒１０の流出部１２から気泡が流出することを防止できる。
【００３３】
また、点滴筒１０は、滴下部１１と流出部１２との接続時において、周壁部１３の内周側には、滴下室１４の容積の１／５〜４／５に相当する量の気体が封入されている。したがって、滴下部１１と流出部１２との接続を解除すると共に、周壁部１３を上下方向に伸長させるという一度の操作によって、形成される滴下室１４内に十分な負圧を生じさせ、滴下室１４に適量の液体を導入することができるため、従来必要とされたポンピング操作を不要にし、利便性を向上させることができる。
【００３４】
また、点滴筒１０は、滴下部１１が滴下筒１６を備えており、流出部１２が滴下筒１６を挿入できる流出口１７ａを備えている。したがって、簡単な構成により、滴下部１１と流出部１２とを接続することができる。
【００３５】
また、点滴筒１０は、周壁部１３が蛇腹状をなす蛇腹部として形成されている。これにより、滴下部１１と流出部１２との接続時においては、周壁部１３が折り畳まれるので、周壁部１３をコンパクトに収納することができる。また、周壁部１３を比較的硬質な材料によって形成することが可能となる。
【００３６】
さらに、点滴筒１０は、滴下部１１と流出部１２との接続時において周壁部１３の内周側に気体を導入し、密封することを可能にする気体導入部（図示省略）を更に備える場合には、周壁部１３の内周側の気体封入量を調節することができる。
【００３７】
ところで、本実施形態に係る点滴筒１０は、周壁部１３が蛇腹状をなす蛇腹部として形成されている構成としたが、変形例１として、図７に示すように、このような周壁部１３の代わりに、柔軟な膜状をなすバルーン部として形成されている周壁部１３１を用いた構成とすることも可能である。なお、変形例１では、周壁部１３１以外の構成は、前述した実施形態の点滴筒１０の場合と同一の構成になっている。
【００３８】
かかる構成になる変形例１に係る点滴筒１０１によれば、周壁部１３が蛇腹状をなす蛇腹部として形成されていることによる効果を除いて、前述した実施形態の場合と同様の効果を得ることができる。さらに、変形例１に係る点滴筒１０１によれば、柔軟な膜状をなす限りにおいて材質を幅広く選択することができる。
【００３９】
また、変形例２として、蛇腹部として形成された周壁部１３の代わりに、図８に示すように、柔軟な膜状をなし、かつ、皺を寄せて萎む皺付きバルーン部として形成されている周壁部１３２を用いた構成とすることも可能である。なお、変形例２では、周壁部１３２以外の構成は、前述した実施形態の点滴筒１０の場合と同一の構成になっている。
【００４０】
かかる構成になる変形例２に係る点滴筒１０２によれば、周壁部１３が蛇腹状をなす蛇腹部として形成されていることによる効果を除いて、前述した実施形態の場合と同様の効果を得ることができる。さらに、変形例２に係る点滴筒１０２によれば、滴下部１１と流出部１２との接続時においては、周壁部１３２が皺を寄せて萎むので、周壁部１３２をコンパクトに収納することができる。
【００４１】
さらに、変形例３として、蛇腹部として形成された周壁部１３の代わりに、図９に示すように、塑性変形によって伸長する伸長性シートから形成されている周壁部１３３を用いた構成とすることも可能である。具体的には、滴下部１１と流出部１２との接続時において、周壁部１３３は、伸長前の伸長性シートによって形成されている。このような伸長性シートによれば、周壁部１３３を容易に伸長させることができる一方、伸長させた後は、その伸長状態を保持することが可能となる。したがって、滴下室１４を容易に形成できると共に、形成された滴下室１４の容積は安定して保持されることになる。なお、伸長性シートの素材としては、例えば、プラスチックフィルムなどが挙げられる。なお、変形例３において、周壁部１３３以外の構成は、前述した実施形態の点滴筒１０の場合と同一の構成になっている。
【００４２】
かかる構成になる変形例３に係る点滴筒１０３によれば、周壁部１３が蛇腹状をなす蛇腹部として形成されていることによる効果を除いて、前述した実施形態の場合と同様の効果を得ることができる。さらに、変形例３に係る点滴筒１０３によれば、滴下部１１と流出部１２との接続時においては、周壁部１３３をよりコンパクトに収納することができる。
【００４３】
なお、前述した変形例１〜３においても、前述した実施形態の場合と同様に、周壁部１３１，１３２，１３３の内周側に、滴下室１４の容積の１／５〜４／５に相当する量の気体が封入された構成とすることが好ましく、１／２〜２／３に相当する量の気体が封入された構成とすることがより好ましい。また、変形例１〜３においても、滴下部１１と流出部１２との接続時において周壁部１３１，１３２，１３３の内周側に気体を導入し、密封することを可能にする気体導入部（図示省略）を更に備えてもよいことは、前述した実施形態の場合と同様である。
【００４４】
また、本実施形態に係る輸液セット７の使用方法は、滴下部１１から滴下する液体を貯留し流出部１２から流出させる滴下室１４と、滴下室１４の周面を区画する周壁部１３とを備え、滴下部１１と流出部１２とが接続された点滴筒１０と、前記滴下部１１に直接または第１チューブを介して接続された瓶針１５と、流出部１２に接続された第２チューブ６とを備える輸液セット７を用意し、瓶針１５を輸液容器２に接続し、輸液容器２内の液体を滴下部１１と流出部１２と第２チューブ６とに満たし、滴下部１１と流出部１２との接続を解除するものである。
【００４５】
したがって、輸液セット７の使用方法によれば、プライミング時には、点滴筒１０の滴下部１１と流出部１２とが接続された状態の輸液セット７を用意し、瓶針１５を輸液容器２に接続することで、輸液容器２内の液体を滴下部１１と流出部１２と第２チューブ６とに満たすことができ、生体への使用開始時には、滴下部１１と流出部１２との接続を解除することができる。よって、プライミング時から生体への使用開始時までの間に、点滴筒１０の流出部１２から気泡が流出することを防止できる。
【００４６】
前述したところは本発明の一実施形態を示したにすぎず、特許請求の範囲において、種々の変更を加えてもよいことは言うまでもない。
【符号の説明】
【００４７】
１  輸液装置
２  輸液容器
３  栓体
４  クレンメ
５  コネクタ
６  チューブ
７  輸液セット
１０，１０１，１０２，１０３  点滴筒
１１  滴下部
１２  流出部
１３，１３１，１３２，１３３  周壁部
１４  滴下室
１５  瓶針
１６  滴下筒
１７ａ  流出口
１７ｂ  接続筒
１８  流入路
１９  流出路
２０  滴下部材
２１  周壁部材
２２  流出部材
Ｓ  密閉空間
【図１】
2016171837.tif 000003
【図２】
2016171837.tif 000004
【図３】
2016171837.tif 000005
【図４】
2016171837.tif 000006
【図５】
2016171837.tif 000007
【図６】
2016171837.tif 000008
【図７】
2016171837.tif 000009
【図８】
2016171837.tif 000010
【図９】
2016171837.tif 000011